(57)【要約】【課題】  創傷部位の治癒を促進し、構成も簡単な創傷保護絆創膏を提供する。【解決手段】  柔らかい粘着フィルム１２の一方の面に設けられた粘着剤層１４と、粘着剤層１４のほぼ中央部を覆って粘着剤層１４に貼り付けられたカバーフィルム１６とを備える。カバーフィルム１６の周縁部には、カバーフィルム１６を囲むように設けられた環状のパッド部１８を備える。粘着フィルム１２の粘着剤層１４が形成された側とは反対側の面には、粘着フィルム１２よりもコシの強いキャリアフィルム２０を有する。【選択図】図１
2005192806.tif 000002
【特許請求の範囲】
【請求項１】
柔らかい粘着フィルムの一方の面に設けられた粘着剤層と、この粘着剤層の所定範囲を囲むように設けられた環状のパッド部とから成ることを特徴とする創傷保護絆創膏。
【請求項２】
柔らかい粘着フィルムの一方の面に設けられた粘着剤層と、この粘着剤層のほぼ中央部を覆って上記粘着剤層に貼り付けられたカバーフィルムと、このカバーフィルムの周縁部に沿って設けられ上記カバーフィルムを囲むように設けられた環状のパッド部とから成ることを特徴とする創傷保護絆創膏。
【請求項３】
上記粘着フィルムの粘着剤層が形成された側とは反対側の面には、上記粘着フィルムよりもコシの強いキャリアフィルムが設けられたことを特徴とする請求項１または２記載の創傷保護絆創膏。
【請求項４】
上記粘着フィルム及びカバーフィルムは、ウレタン樹脂の薄いフィルムから成ることを特徴とする請求項１，または３記載の創傷保護絆創膏。
【発明の詳細な説明】
【技術分野】
【０００１】
この発明は、身体の創傷部位を覆い保護する創傷保護絆創膏に関する。
【背景技術】
【０００２】
従来、一般的な絆創膏は、粘着テープに殺菌ガーゼのパッドが設けられ、傷部分に殺菌ガーゼのパッドを当てて粘着テープ部を貼付するものであった。また、例えば特許文献１に開示されているように、フィルム上にゲルシートを積層し、ゲル面を創傷部位に当てる絆創膏が医療現場では用いられている。
【特許文献１】特開平６−３１５５２６号公報
【発明の開示】
【発明が解決しようとする課題】
【０００３】
上記従来技術の一般の絆創膏は、創傷部分の治癒を促進するものではなく、かえって傷口から出て来た浸出液を吸い取ってしまい、浸出液中にある傷口の治癒を促進する細胞成長因子を除去してしまっていた。また、殺菌パッドの殺菌剤は創傷部分の細胞を殺してしまったりして、創傷部位にかえって悪影響を及ぼし、治癒の促進を妨げる場合があった。さらに、ゲルシートを用いた絆創膏は、製造原価やコストがかかり、安価に提供できるものではなかった。
【０００４】
この発明は、上記従来の問題点に鑑みてなされたもので、創傷部位の治癒を促進し、構成も簡単な創傷保護絆創膏を提供することを目的とする。
【課題を解決するための手段】
【０００５】
この発明は、柔らかい粘着フィルムの一方の面に設けられた粘着剤層と、この粘着剤層の所定範囲を囲むように設けられた環状のパッド部とから成る創傷保護絆創膏である。
【０００６】
さらにこの発明は、柔らかい粘着フィルムの一方の面に設けられた粘着剤層と、この粘着剤層のほぼ中央部を覆って上記粘着剤層に貼り付けられたカバーフィルムと、このカバーフィルムの周縁部に沿って設けられ上記カバーフィルムを囲むように設けられた環状のパッド部とから成る創傷保護絆創膏である。
【０００７】
また、上記粘着フィルムの粘着剤層が形成された側とは反対側の面には、上記粘着フィルムよりもコシの強いキャリアフィルムが設けられている。上記粘着フィルム及びカバーフィルムは、ウレタン樹脂の薄いフィルムから成る。
【発明の効果】
【０００８】
この発明の創傷保護絆創膏によれば、簡単な構成で、創傷部位に密着したフィルムにより創傷部位の治癒を促進する細胞成長因子を含んだ浸出液を創傷部位にとどめ、且つ雑菌の進入を阻止して、創傷部位の皮膚細胞の増殖を促進し、治癒を早めるものである。また、薄いウレタンフィルムを貼付するので、きれいに創傷部位に密着させることができ、貼付後の人体の動きに対しても容易に剥がれることがない。しかも、創傷部位に密着したフィルムの部分の周囲を囲むパッド部により、浸出液の漏れもない。
【発明を実施するための最良の形態】
【０００９】
以下、この発明の実施の形態について図面に基づいて説明する。図１，図２はこの発明の一実施形態を示すもので、この実施形態の創傷保護絆創膏１０は、略長方形の薄く柔らかいポリウレタン製のフィルムから成る粘着フィルム１２と、この粘着フィルム１２の一面に設けられたアクリル系粘着剤等の粘着剤層１４から成る。この粘着剤層１４が形成された側の面のほぼ中央部には、薄く柔らかいポリウレタン製のフィルムから成る楕円形のカバーフィルム１６が貼り付けられている。さらに、このカバーフィルム１６の周縁部には、カバーフィルム１６の周縁部に沿って設けられカバーフィルム１６を囲むように設けられた環状のパッド部１８が設けられている。パッド部１８は、不織布等の吸水性の材料から成り、余分な浸出液を吸収する。
【００１０】
粘着フィルム１２の粘着剤層１４が形成された側とは反対側の表面には、粘着フィルム１２よりもコシの強いポリエステル樹脂やシリコーン樹脂等のキャリアフィルム２０が密着して設けられている。キャリアフィルム２０と粘着フィルム１２の表面との接着力は、接着剤層１４による接着力よりも弱いものである。
【００１１】
キャリアフィルム２０の一方の端縁部表面には、キャリアフィルム２０を保持して剥離しやすくするためのシート状の紙等のタブ２２が取り付けられている。タブ２２は粘着フィルム１２の端縁部よりも側方に伸び、粘着フィルム１２を貼付した後、容易にキャリアフィルム２０を剥がすことができるように設けられている。
【００１２】
この創傷保護絆創膏１０は、フィルムや紙等の包装袋に密封包装される。パッド部２２等には薬剤やその他の液体成分がないので、アルミニウムラミネート包装等による厳重な密封包装をする必要が無く、埃や雑菌が入らない程度の包装でよい。
【００１３】
この実施形態の創傷保護絆創膏１０の使用方法は、粘着剤層１４に貼り付けられた図示しない剥離紙を剥がして、図３に示すように、パッド部１８で創傷部位を囲むようにしてカバーフィルム１６を創傷部位に被せ、粘着剤層１４を皮膚に貼り付ける。この後、タブ２２を保持して、キャリアフィルム２０を粘着フィルム１２から剥がす。
【００１４】
これにより、創傷部位は粘着剤層１４に触れず、カバーフィルム１６が密着して被覆され、創傷部位からの浸出液中の細胞成長因子が傷口の細胞に作用して、損傷部の皮膚組織細胞の増殖を促進する。さらに、過剰に出た浸出液はパッド部１８に吸収され、周囲に漏れることはない。また、透明な粘着フィルム１２、粘着剤層１４及びカバーフィルム１６とすることにより、創傷部位の様子を外から確認することができ、治癒したことを確認して剥がすことができ、安心である。
【００１５】
なお、この発明の創傷保護絆創膏は、カバーフィルムを設けずに、粘着フィルムの粘着剤層を直接創傷部位に貼り付けるものでも良い。この場合、粘着剤層の創傷部位に対する影響がない粘着剤を用いると良い。この場合もパッド部により創傷部位が囲まれ、浸出液の漏れがなく、創傷部位は粘着剤層により確実に覆われ、創傷部位の皮膚組織細胞の増殖及び治癒を助ける。この場合も、各材料を透明にすることにより、創傷部位の治癒を確認して剥がすことができ、粘着剤層１４が創傷部位に貼り付けられていても問題はない。
【００１６】
また、パッド部の環の形状は楕円状の環の他、円形や、四角形、その他の多角形状の環でも良く、多角形の場合角部にはＲを付けると良い。パッド部の材料も、不織布の他スポンジ状の樹脂材料でも良く、材質は問わない。また、カバーフィルムの材質も適宜選択可能なものであり、カバーフィルム上にゲル層が形成されていても良い。
【図面の簡単な説明】
【００１７】
【図１】この発明の一実施形態の創傷保護絆創膏の裏面図である。
【図２】この発明の一実施形態の創傷保護絆創膏の断面図である。
【図３】この発明の一実施形態の創傷保護絆創膏の使用状態を示す斜視図である。
【符号の説明】
【００１８】
１０  傷保護絆創膏
１２  粘着フィルム
１４  粘着剤層
１６  カバーフィルム
１８  パッド部
２０  キャリアフィルム
２２  タブ
【図１】
2005192806.tif 000003
【図２】
2005192806.tif 000004
【図３】
2005192806.tif 000005